(57)【要約】【課題】  無線ＬＡＮアクセスポイントの設置場所の決定を効率的に支援する設置位置決定支援方法を提供する。【解決手段】  設置物の設置可能位置を示す設置可能位置情報を受付けるステップ（Ｓ４）と、前記設置可能位置情報に基づいて、前記設置物の設置候補位置を示す設置候補位置情報を作成するステップ（Ｓ６）と、前記設置候補位置情報を提供するステップ（Ｓ８）と、前記設置候補位置情報の提供に対し、前記設置物の設置位置および設置を調整し、設置位置情報を作成するステップ（Ｓ１０、Ｓ１２、Ｓ１８）と、当該設置位置情報を提供するステップと（Ｓ２０）と、前記設置位置の提供に対する報奨を受取るステップ（Ｓ２２）とを含む。【選択図】      図１１
2005165680.tif 000002
【特許請求の範囲】
【請求項１】
情報機器との間で送受信されるデータを中継する通信中継器を搭載した屋内外に設置される設置物の設置位置の決定を支援する方法であって、
設置物の設置可能位置を示す設置可能位置情報に基づいて、前記設置物の最適な設置候補位置を決定する設置候補位置決定ステップと、
前記設置物の設置位置に関する情報を受け、当該設置位置への前記設置物の設置を依頼する依頼ステップとを含む
ことを特徴とする設置位置決定支援方法。
【請求項２】
さらに、前記設置物の設置に関連する報奨を受取る報奨受取りステップを含む
ことを特徴とする請求項１に記載の設置位置決定支援方法。
【請求項３】
前記報奨受取りステップでは、前記報奨を一括で受取る
ことを特徴とする請求項２に記載の設置位置決定支援方法。
【請求項４】
前記報奨受取りステップでは、前記報奨を分割で受取る
ことを特徴とする請求項２に記載の設置位置決定支援方法。
【請求項５】
前記報奨受取りステップでは、前記通信中継器を介したデータの送受信の利用料金の一部を受取る
ことを特徴とする請求項２に記載の設置位置決定支援方法。
【請求項６】
さらに、前記設置物の設置に関連する報奨を提供する報奨提供ステップを含む
ことを特徴とする請求項１〜５のいずれか１項に記載の設置位置決定支援方法。
【請求項７】
前記報奨提供ステップでは、前記報奨を一括で提供する
ことを特徴とする請求項６に記載の設置位置決定支援方法。
【請求項８】
前記報奨提供ステップでは、前記報奨を分割で提供する
ことを特徴とする請求項６に記載の設置位置決定支援方法。
【請求項９】
前記報奨提供ステップでは、前記通信中継器を介したデータの送受信の利用料金の一部を提供する
ことを特徴とする請求項６に記載の設置位置決定支援方法。
【請求項１０】
さらに、前記設置可能位置情報を受付ける設置可能位置情報受付ステップと、
前記設置可能位置情報に基づいて、前記設置物の設置位置を求め、当該設置位置を示す設置位置情報を提供する設置位置情報提供ステップとを含む
ことを特徴とする請求項１〜９のいずれか１項に記載の設置位置決定支援方法。
【請求項１１】
前記設置位置情報提供ステップは、
前記設置物の設置候補位置を示す設置候補位置情報を提供する第１の提供サブステップと、
前記設置候補位置情報の提供に対し、前記設置物の設置位置および設置を調整し、設置位置情報を作成する調整サブステップと、
当該設置位置情報を提供する第２の提供サブステップとを含む
ことを特徴とする請求項１０に記載の設置位置決定支援方法。
【請求項１２】
前記設置可能位置情報には、設置可能位置での往来人数が含まれ、
前記設置候補位置決定ステップでは、当該往来人数を加味して、前記設置物の設置候補位置情報を作成する
ことを特徴とする請求項１〜１１のいずれか１項に記載の設置位置決定支援方法。
【請求項１３】
さらに、前記設置物の重点的な設置エリアを示す重点設置エリア情報を受付ける重点設置エリア情報受付けステップを含み、
前記設置候補位置決定ステップでは、当該重点設置エリア情報を加味して、前記設置物の設置候補位置情報を作成する
ことを特徴とする請求項１〜１２のいずれか１項に記載の設置位置情報決定支援方法。
【請求項１４】
前記設置物は自動販売機である
ことを特徴とする請求項１〜１３のいずれか１項に記載の設置位置決定支援方法。
【請求項１５】
前記設置物は自動販売機であり、
前記設置可能位置情報には、前記自動販売機の売上げ本数が含まれ、
前記設置候補位置決定ステップでは、当該売上げ本数を加味して、前記自動販売機の設置候補位置情報を作成する
ことを特徴とする請求項１〜１３のいずれか１項に記載の設置位置決定支援方法。
【請求項１６】
前記通信中継器は無線ＬＡＮ（Local Area Network）アクセスポイントである
ことを特徴とする請求項１〜１５のいずれか１項に記載の設置位置決定支援方法。
【請求項１７】
請求項１〜１６のいずれか１項に記載の設置位置決定支援方法に含まれるステップをコンピュータに実行させるためのプログラム。
【請求項１８】
請求項１７に記載のプログラムを記録したコンピュータ読取可能な記録媒体。
【請求項１９】
情報機器との間で送受信されるデータを中継する通信中継器を搭載した屋内外に設置される設置物の設置位置の決定を支援する装置であって、
設置物の設置可能位置を示す設置可能位置情報に基づいて、前記設置物の最適な設置候補位置を決定する設置候補位置決定手段と、
前記設置物の設置位置に関する情報を受け、当該設置位置への前記設置物の設置を依頼する依頼手段とを備える
ことを特徴とする設置位置決定支援装置。
【請求項２０】
さらに、前記設置物の設置に関連する報奨を受取る報奨受取り手段を含む
ことを特徴とする請求項１９に記載の設置位置決定支援装置。
【請求項２１】
前記報奨受取り手段は、前記報奨を一括で受取る
ことを特徴とする請求項２０に記載の設置位置決定支援装置。
【請求項２２】
前記報奨受取り手段は、前記報奨を分割で受取る
ことを特徴とする請求項２０に記載の設置位置決定支援装置。
【請求項２３】
前記報奨受取り手段は、前記通信中継器を介したデータの送受信の利用料金の一部を受取る
ことを特徴とする請求項２０に記載の設置位置決定支援装置。
【請求項２４】
さらに、前記設置物の設置に関連する報奨を提供する報奨提供手段を含む
ことを特徴とする請求項１９〜２３のいずれか１項に記載の設置位置決定支援装置。
【請求項２５】
前記報奨提供手段は、前記報奨を一括で提供する
ことを特徴とする請求項２４に記載の設置位置決定支援装置。
【請求項２６】
前記報奨提供手段は、前記報奨を分割で提供する
ことを特徴とする請求項２４に記載の設置位置決定支援装置。
【請求項２７】
前記報奨提供手段は、前記通信中継器を介したデータの送受信の利用料金の一部を提供する
ことを特徴とする請求項２４に記載の設置位置決定支援装置。
【請求項２８】
さらに、前記設置可能位置情報を受付ける設置可能位置情報受付手段と、
前記設置可能位置情報に基づいて、前記設置物の設置位置を求め、当該設置位置を示す設置位置情報を提供する設置位置情報提供手段とを備える
ことを特徴とする請求項１９〜２７のいずれか１項に記載の設置位置決定支援装置。
【請求項２９】
前記設置位置情報提供手段は、
前記設置物の設置候補位置を示す設置候補位置情報を提供する候補位置情報提供手段と、
前記設置候補位置情報の提供に対し、前記設置物の設置位置および設置を調整し、設置位置情報を作成する調整手段と、
当該設置位置情報を提供する調整後設置位置情報提供手段とを備える
ことを特徴とする請求項２８に記載の設置位置決定支援装置。
【請求項３０】
前記設置可能位置情報には、設置可能位置での往来人数が含まれ、
前記設置候補位置決定手段は、当該往来人数を加味して、前記設置物の設置候補位置情報を作成する
ことを特徴とする請求項１９〜２９のいずれか１項に記載の設置位置決定支援装置。
【請求項３１】
さらに、前記設置物の重点的な設置エリアを示す重点設置エリア情報を受付ける重点設置エリア情報受付け手段を含み、
前記設置候補位置決定手段は、当該重点設置エリア情報を加味して、前記設置物の設置候補位置情報を作成する
ことを特徴とする請求項１９〜３０のいずれか１項に記載の設置位置情報決定支援装置。
【請求項３２】
さらに、前記設置物に付された識別子と前記情報機器との間で送受信されるデータを中継する通信中継器に付された識別子とを対応付けて記憶する記憶手段を備える
ことを特徴とする請求項１９〜３１のいずれか１項に記載の設置位置決定支援装置。
【請求項３３】
前記設置物は自動販売機である
ことを特徴とする請求項１９〜３２のいずれか１項に記載の設置位置決定支援装置。
【請求項３４】
前記設置物は自動販売機であり、
前記設置可能位置情報には、当該自動販売機の売上げ本数が含まれ、
前記設置候補位置決定手段は、当該売上げ本数を加味して、前記自動販売機の設置候補位置情報を作成する
ことを特徴とする請求項１９〜３２のいずれか１項に記載の設置位置決定支援装置。
【請求項３５】
前記通信中継器は無線ＬＡＮ（Local Area Network）アクセスポイントである
ことを特徴とする請求項１９〜３４のいずれか１項に記載の設置位置決定支援装置。
【請求項３６】
情報機器との間で送受信されるデータを中継する通信中継器を搭載した屋内外に設置される設置物の設置位置の決定を支援するシステムであって、
前記設置物の設置可能位置を示す設置可能位置情報を提供し、設置依頼に対し当該設置物の設置を了承する設置物所有者側装置と、
前記設置可能位置情報に基づいて、前記設置物の設置候補位置を示す設置候補位置情報を作成し、前記通信中継器所有者側装置に送信する仲介装置と、
前記設置候補位置情報に基づいて、前記設置物の設置位置を示す設置位置情報を決定し、前記仲介装置を介して前記設置物所有者側装置に送信し、当該設置位置情報で示される設置位置への設置物の設置依頼を行う通信中継器所有者側装置とを備える
ことを特徴とする設置位置決定支援システム。
【請求項３７】
前記通信中継器所有者側装置は、さらに、前記設置物の設置に関連する報奨を与える
ことを特徴とする請求項３６に記載の設置位置決定支援システム。
【発明の詳細な説明】
【技術分野】
【０００１】
本発明は、屋内外に設置される設置物の設置位置決定支援方法に関し、特に、情報機器との間で送受信されるデータを中継する通信中継器を搭載した設置物の設置位置決定支援方法に関する。
【背景技術】
【０００２】
近時、無線ＬＡＮ（Local Area Network）技術の発達に伴い、喫茶店やホテルなどの街中で、パーソナルコンピュータやＰＤＡ（Personal Digital Assistant）などをインターネットに接続させるためのサービスが開始されている（例えば、特許文献１参照。）。また、インターネットを利用した携帯電話型のＩＰ（Internet Protocol）電話のサービスも開始されている。
【０００３】
このように、ユーザが街中でインターネットを利用したり、携帯電話型のＩＰ電話を利用したりする際には、無線ＬＡＮアクセスポイントと呼ばれる通信中継器を介してインターネットに接続する必要がある。
【特許文献１】特開２００３−３１８９９１号公報
【発明の開示】
【発明が解決しようとする課題】
【０００４】
しかしながら、無線ＬＡＮアクセスポイントが通信可能なエリアには限界がある。一般に現在実用化されているＩＥＥＥ（Institute of Electrical and Electronic Engineers）８０２．１１ｂに準拠した無線ＬＡＮアクセスポイントの通信距離は屋外で１００ｍ程度であるといわれている。このため、ユーザが上述のサービスの提供をあらゆる場所で受けるには、屋内外に多数の無線ＬＡＮアクセスポイントを設置する必要がある。このような無線ＬＡＮアクセスポイントを屋内外に多数設置するためには、設置場所の決定や確保等の面から困難が伴う。
【０００５】
そこで、本発明は上述の課題を解決するためになされたもので、無線ＬＡＮアクセスポイントの設置場所の決定を効率的に支援する設置位置決定支援方法を提供することを第１の目的とする。
また、無線ＬＡＮアクセスポイントの設置場所を効率的に確保することができる設置位置決定支援方法を提供することを第２の目的とする。
【課題を解決するための手段】
【０００６】
上記目的を達成するために、本発明のある局面に係る設置位置決定支援方法は、情報機器との間で送受信されるデータを中継する通信中継器を搭載した屋内外に設置される設置物の設置位置の決定を支援する方法であって、設置物の設置可能位置を示す設置可能位置情報に基づいて、前記設置物の最適な設置候補位置を決定する設置候補位置決定ステップと、前記設置物の設置位置に関する情報を受け、当該設置位置への前記設置物の設置を依頼する依頼ステップとを含む。
【０００７】
通信中継器を搭載した設置物の設置可能位置より最適な設置候補位置を求めている。このため、通信中継器の設置場所の決定を効率的に支援することが可能になる。
好ましくは、上述の設置位置決定支援方法は、さらに、前記設置物の設置に関連する報奨を受取る報奨受取りステップを含む。
このため、設置物の設置依頼が進んで行われるようになる。よって、通信中継器を搭載した設置物の設置場所を効率的に確保することができるようになる。なお、上述の「前記設置物の設置に関連する報奨」は、設置物の開局候補位置情報の提供に対する報奨、設置物の設置依頼に対する報奨、設置物の設置了承に対する報奨または設置物の設置自体に対する報奨を意味する。
【０００８】
さらに好ましくは、上述の設置位置決定支援方法は、さらに、前記設置物の設置位置に関する情報および当該設置位置への前記設置物の設置了承に対して、報奨を提供する報奨提供ステップを含む。
設置物の設置位置に関する情報の提供を提供し、当該設置位置への設置物の設置を了承することにより、報奨を得ることができるため、設置物所有者は進んで設置物の設置場所を提供するようになる。よって、通信中継器を搭載した設置物の設置場所を効率的に確保することができるようになる。
【０００９】
さらに好ましくは、前記設置可能位置情報には、設置可能位置での往来人数が含まれ、前記設置候補位置決定ステップでは、当該往来人数を加味して、前記設置物の設置候補位置情報を作成する。
このようにすることにより、往来が多い設置可能位置を優先して設置候補位置とすることができる。このため、人が集中するところに通信中継器を配置することができ、多くの人が電波状態のいい状況でインターネットに接続することが可能になる。
【００１０】
なお、本発明は、このような特徴的なステップを含む設置位置決定支援方法として実現することができるだけでなく、当該方法に含まれる特徴的なステップを手段とする設置位置決定支援装置として実現したり、当該方法に含まれる特徴的なステップをコンピュータに実行させるためのプログラムとして実現したりすることもできる。そして、そのようなプログラムは、ＣＤ−ＲＯＭ等の記録媒体やインターネット等の伝送媒体を介して流通させることができるのは言うまでもない。
【発明の効果】
【００１１】
本発明によると、無線ＬＡＮアクセスポイントに代表される通信中継器の設置場所の決定を効率的に支援することができる。
また、通信中継器の設置場所を効率的に確保することができるようになる。
さらに、多くの人が電波状態のいい状況でインターネットに接続することができるようになる。
【発明を実施するための最良の形態】
【００１２】
以下、図面を参照しながら本発明の実施の形態に係る設置位置決定支援システムについて説明する。
図１は、設置位置決定支援システムの構成を示す外観図である。設置位置決定支援システム２０は、無線ＬＡＮアクセスポイント２９を搭載した自動販売機２８の設置位置の決定を支援するシステムであり、飲料メーカ側コンピュータ２２と、キャリア側コンピュータ２６と、サービス会社側コンピュータ２４とを備えている。
【００１３】
飲料メーカ側コンピュータ２２は、自動販売機２８を使用して缶コーヒーなどの飲料を販売する飲料メーカが使用するコンピュータである。
キャリア側コンピュータ２６は、自動販売機２８に搭載された無線ＬＡＮアクセスポイント２９を利用してインターネット接続サービスを提供する通信事業者（キャリア）が使用するコンピュータである。
【００１４】
サービス会社側コンピュータ２４は、飲料メーカとキャリアとの仲介を行ない、自動販売機２８の設置位置決定支援のサービスを行なうサービス会社が使用するコンピュータである。
なお、飲料メーカ側コンピュータ２２、キャリア側コンピュータ２６およびサービス会社側コンピュータ２４の各々は、インターネット３０に接続されており、相互に通信可能である。また、自動販売機２８は、後述のようにインターネット３０に接続するためのモデムを搭載している。
【００１５】
図２は、飲料メーカ側コンピュータ２２のハードウェア構成を示す機能ブロック図である。飲料メーカ側コンピュータ２２は、設置可能位置情報記憶部３２と、設置可能位置情報通知部３４と、自動販売機設置処理部３６と、開局協力金受領部３８と、開局協力金記憶部４０と、外部Ｉ／Ｆ（インタフェース）部４２とを備えている。
設置可能位置情報記憶部３２は、自動販売機２８を新規に設置可能な位置に関する情報と、現在設置されている自動販売機を無線ＬＡＮアクセスポイント２９を搭載した自動販売機２８に置き換え可能な位置に関する情報とを記憶する記憶装置である。両者の情報をまとめて、以下「設置可能位置情報」という。
【００１６】
図３は、設置可能位置情報の一例を示す図である。設置可能位置情報は、自動販売機２８を設置可能なロケーション情報（北緯および東経）と、１日あたりの飲料の平均売上げ本数と、その場所での１日あたりの平均往来人数と、新規に設置される自動販売機２８であるのか置き換えられる自動販売機なのかを示す情報とを含む。
例えば、１番目に示されている設置可能位置情報は、北緯「３６度２８分４０秒」および東経「１３５度３８分５２秒」に自動販売機２８を設置可能であり、その位置に設置されている自動販売機２８の１日あたりの平均売上げ本数は４５本であり、平均往来人数は３８００人であることを示している。また、その位置に設置可能な自動販売機２８は置き換え対象の自動販売機２８であることを示している。
【００１７】
また、２番目に示されている設置可能位置情報は、北緯「３７度４５分２０秒」および東経「１３７度３９分３０秒」に自動販売機２８を設置可能であり、その位置の平均往来人数は３８００人であることを示している。また、その位置に設置可能な自動販売機２８は新規に設置される自動販売機２８であることを示している。なお、平均売上げ本数の欄が空欄になっているのは、新規に設置される自動販売機２８であることより、その本数が不明だからである。
【００１８】
外部Ｉ／Ｆ部４２は、インターネット３０を介して外部のコンピュータ等とのデータの送受信を行うための処理部である。
設置可能位置情報通知部３４は、設置可能位置情報記憶部３２に記憶されている設置可能位置情報を外部Ｉ／Ｆ部４２を介してサービス会社側コンピュータ２４に通知する処理を行う。
【００１９】
自動販売機設置処理部３６は、サービス会社側コンピュータ２４からの自動販売機２８の設置依頼に対して、自動販売機２８の設置を了承するか否かの判断を行い、自動販売機２８が設置された際に設置の完了を通知する処理を行う。
開局協力金受領部３８は、自動販売機２８の設置に対し、サービス会社側コンピュータ２４より開局協力金を受領する処理を行う。開局協力金は、例えば電子マネーにより支払われる。
開局協力金記憶部４０は、支払われた開局協力金を記憶する記憶装置である。
【００２０】
図４は、キャリア側コンピュータ２６のハードウェア構成を示す機能ブロック図である。キャリア側コンピュータ２６は、重点開局エリア情報記憶部５２と、重点開局エリア情報通知部５４と、開局位置情報作成部５６と、基地局工事処理部５８と、開局報奨金支払い部６０と、外部Ｉ／Ｆ部６２とを備えている。
【００２１】
重点開局エリア情報記憶部５２は、無線ＬＡＮ基地局を重点的に開局したいエリアの情報（以下、「重点開局エリア情報」という。）を記憶する記憶装置である。
【００２２】
図５は、重点開局エリア情報の一例を示す図である。重点開局エリア情報は、北側を上方とした場合の矩形位置の左上隅座標（始点）および右下隅座標（終点）からなる。また、始点および終点の各々は、北緯および東経からなる。例えば、1番目の重点開局エリアは始点を北緯「３５度１４分７２秒」、東経「１３５度３７分００秒」とし、終点を北緯「３６度４０分００秒」、東経「１３５度３９分００秒」とする矩形で示されている。
【００２３】
外部Ｉ／Ｆ部６２は、インターネット３０を介して外部のコンピュータ等とのデータの送受信を行うための処理部である。
重点開局エリア情報通知部５４は、重点開局エリア情報記憶部５２に記憶されているエリア情報を外部Ｉ／Ｆ部６２を介してサービス会社側コンピュータ２４に通知する処理を行う。
【００２４】
開局位置情報作成部５６は、サービス会社側コンピュータ２４より開局候補位置情報を受取り、当該開局候補位置情報と重点開局エリア情報とに基づいて、開局位置情報を作成し、外部Ｉ／Ｆ部６２を介してサービス会社側コンピュータ２４へ送信する。
基地局工事処理部５８は、サービス会社側コンピュータ２４より基地局の設置工事の依頼を受付け、基地局工事の発注を行う。また、基地局工事処理部５８は、工事が完了した際に工事完了通知を飲料メーカ側コンピュータ２２に対して行う。
【００２５】
開局報奨金支払い部６０は、基地局の設置依頼に対する報奨として開局報奨金をサービス会社側コンピュータ２４に支払う処理を行う。開局報奨金は、例えば電子マネーにより支払われる。
【００２６】
図６は、サービス会社側コンピュータ２４のハードウェア構成を示す機能ブロック図である。サービス会社側コンピュータ２４は、管理情報記憶部７２と、開局候補位置情報作成部７６と、開局調整部７８と、開局金授受部８０と、開局金記憶部８２と、外部Ｉ／Ｆ部８４とを備えている。
【００２７】
管理情報記憶部７２は、自動販売機２８の識別子（以下、「自動販売機ＩＤ」という。）と無線ＬＡＮアクセスポイント２９の識別子（以下、「無線ＬＡＮアクセスポイントＩＤ」という。）との対応関係や、自動販売機２８の設置位置に関する情報等を記憶する記憶装置である。
外部Ｉ／Ｆ部８４は、インターネット３０を介して外部のコンピュータ等とのデータの送受信を行うための処理部である。
【００２８】
開局候補位置情報作成部７６は、飲料メーカ側コンピュータ２２より受信した自動販売機２８の設置可能位置情報とキャリア側コンピュータ２６より受信した重点開局エリア情報とから開局候補位置情報を作成し、管理情報記憶部７２に記憶するとともに、外部Ｉ／Ｆ部８４を介してキャリア側コンピュータ２６に送信する処理部である。
開局調整部７８は、キャリア側コンピュータ２６より開局位置情報を受信し、飲料メーカ側コンピュータ２２へ自動販売機２８の設置依頼をしたり、飲料メーカ側コンピュータ２２からの自動販売機２８の設置完了通知に対して、キャリア側コンピュータ２６に対して、基地局工事の依頼をしたりする処理部である。
【００２９】
開局金授受部８０は、キャリア側コンピュータ２６より開局報奨金を受取るとともに、その一部を開局協力金として飲料メーカ側コンピュータ２２に支払う処理を行う。なお、開局報奨金および開局協力金は、例えば、電子マネーにより授受が行われる。
開局金記憶部８２は、上述の電子マネーを記憶する記憶装置である。
【００３０】
図７は、サービス会社側コンピュータ２４の管理情報記憶部７２に記憶されている自動販売機ＩＤと無線ＬＡＮアクセスポイントＩＤとの対応関係の一例を示す図である。例えば、自動販売機ＩＤ「２２１４」で識別される自動販売機２８には、無線ＬＡＮアクセスポイントＩＤ「１９８．２５．３．１０１」で識別される無線ＬＡＮアクセスポイント２９が搭載されていることを示している。無線ＬＡＮアクセスポイントＩＤは、ＩＰ（Internet Protocol）アドレスで示される。
【００３１】
図８は、自動販売機２８のハードウェア構成を示す機能ブロック図である。自動販売機２８は、モデム９６と、無線ＬＡＮアクセスポイント２９と、電力供給部９２と、販売処理部９８と、表示部１００とを備えている。
モデム９６は、インターネット３０に接続し、データの送受信を行うための装置である。
【００３２】
無線ＬＡＮアクセスポイント２９は、ユーザが使用するパーソナルコンピュータやＰＤＡとの間でデータの送受信を行い、当該データをモデム９６を介してインターネット３０に中継する通信中継器である。
販売処理部９８は、ジュース等の販売に関する処理を行う処理部である。また、販売処理部９８は、ユーザが無線ＬＡＮアクセスポイント２９を使用する権利を販売する処理も行う。
【００３３】
表示部１００は、無線ＬＡＮアクセスポイント２９を使用する権利を得るための情報を表示する表示装置である。
電力供給部９２は、無線ＬＡＮアクセスポイント２９およびモデム９６と、販売処理部９８および表示部１００とをそれぞれ別の系統として、２つの系統にそれぞれ電力を供給する。
【００３４】
図９は、自動販売機２８の外観図である。自動販売機２８には、コイン投入口１０８、紙幣投入口１１０、飲料等を選択するためのボタン部１１２および上述の表示部１００等が備えられている。また、上述のように、自動販売機２８には、無線ＬＡＮアクセスポイント２９が搭載されている。
ユーザは、自動販売機２８でジュースを買うことも可能であるが、無線ＬＡＮアクセスポイント２９を一定時間使用する権利を買うことも可能である。例えば、無線ＬＡＮアクセスポイント２９を６０分間使用する権利を購入するには、ユーザは、料金をコイン投入口または紙幣投入口１１０より投入した後、ラベル１０４に対応するボタン部１１２のボタンを押下する。すると、表示部１００に暗証番号（図中の「２３７ＪＴ９Ｈ」）が表示される。ユーザは、当該暗証番号を自身が使用するＰＤＡまたはパーソナルコンピュータ等に入力することにより、無線ＬＡＮアクセスポイント２９を６０分間使用することができるようになる。
【００３５】
なお、ジュースの景品として無線ＬＡＮアクセスポイント２９を使用する権利をつけるようにしてもよい。例えば、ジュース１０２を購入すると、無線ＬＡＮアクセスポイント２９を１０分間使用する権利がついてくるようにしてもよい。その場合にも、暗証番号が表示部１００に表示される。
【００３６】
図１０は、ユーザによる無線ＬＡＮアクセスポイント２９の使用態様の一例を示す外観図である。ユーザ１２２は、無線ＬＡＮカードなどの無線ＬＡＮ接続機能が搭載されたＰＤＡ１２４を利用して、自動販売機２８の無線ＬＡＮアクセスポイント２９との間でデータの送受信を行い、インターネット３０への接続を行う。なお、ユーザ１２２は必ずしも自動販売機２８の近くにいる必要はなく、無線ＬＡＮアクセスポイント２９の通信可能範囲内であればいずれの場所にいてもよい。
【００３７】
図１１は、自動販売機２８の設置位置支援処理のフローチャートである。キャリア側コンピュータ２６の重点開局エリア情報通知部５４は、重点開局エリア情報記憶部５２に記憶されている重点開局エリア情報をサービス会社側コンピュータ２４に送信する（Ｓ２）。一方、飲料メーカ側コンピュータ２２の設置可能位置情報通知部３４は、設置可能位置情報をサービス会社側コンピュータ２４に送信する（Ｓ４）。
【００３８】
サービス会社側コンピュータ２４の開局候補位置情報作成部７６は、設置可能位置情報および重点開局エリア情報に従い、開局候補位置情報を作成する（Ｓ６）。図１２は、開局候補位置情報を模式的に表した図である。このように、無線ＬＡＮアクセスポイント２９の通信可能範囲１３２が互いに干渉せず、かつ不感地帯がないように自動販売機２８の配置が行われる。
【００３９】
なお、最適な無線ＬＡＮ基地局の配置設計を行うシステムとして、日本電気株式会社が開発したＲＡＤＩＯＳＣＡＰＥ−ＷＡＮ（日本電気株式会社の商標）が知られている（プレリリース、“屋外広域無線ＬＡＮエリア自動設計システムを世界で初めて開発”、［ｏｎｌｉｎｅ］、２００３年６月４日、日本電気株式会社、［平成１５年１１月１０日検索］、インターネット＜ＵＲＬ：http://www.nec.co.jp/press/ja/0306/0402.html＞）。
【００４０】
開局候補位置情報作成処理（Ｓ６）では、基本的にＲＡＤＩＯＳＣＡＰＥ−ＷＡＮを使用するものであるが、図５に示すような重点開局エリア情報に示される重点開局エリアや図３に示すような設置可能位置情報のうち平均売上げ本数の多い場所や平均往来人数の多い場所に、重点的に無線ＬＡＮ基地局を開局するようなアルゴリズムを組み入れている。このような付加的な処理を加えることにより、人が集中するところに無線ＬＡＮ基地局を配置することが可能となり、多くの人が電波状態のいい状況でインターネットに接続できるという効果がある。
【００４１】
サービス会社側コンピュータ２４の開局候補位置情報作成部７６は、作成された開局候補位置情報を管理情報記憶部７２に記憶するとともに、キャリア側コンピュータ２６に送信する（Ｓ８）。
キャリア側コンピュータ２６の開局位置情報作成部５６は、開局候補位置情報を受信し、開局候補位置情報および重点開局エリア情報に基づいて、開局位置情報を作成し、サービス会社側コンピュータ２４に送信する（Ｓ１０）。より具体的には、サービス会社側コンピュータ２４より提示された開局候補位置の数が、キャリアが想定している開局可能な基地局数を超えているような場合には、重点開局エリア内の開局候補位置を優先させて開局位置とするような処理を行う。
【００４２】
サービス会社側コンピュータ２４の開局調整部７８は、開局位置情報を受信し、当該開局位置情報とともに自動販売機２８の設置依頼を飲料メーカ側コンピュータ２２へ送信する（Ｓ１２）。
飲料メーカ側コンピュータ２２の自動販売機設置処理部３６は、自動販売機２８の設置依頼および開局位置情報を受信し、自動販売機２８の設置を了承するか否かの判断を行う（Ｓ１４）。すなわち、自動販売機設置処理部３６は、設置可能位置情報に含まれる平均売上げ本数が所定のしきい値以上の場合に設置を了承し、所定のしきい値未満の場合には設置を了承しない。なお、自動販売機設置処理部３６は、平均往来人数が所定のしきい値を超える場合に設置を了承し、所定のしきい値未満の場合には設置を了承しないようにしてもよい。
【００４３】
自動販売機２８の設置（無線ＬＡＮ基地局の開局）を了承する場合には（Ｓ１４でＹＥＳ）、自動販売機設置処理部３６は、自動販売機２８の設置工事依頼を行い、設置が完了した場合に（Ｓ１６でＹＥＳ）、無線ＬＡＮ基地局の開局を了承し、そのための自動販売機２８の設置工事が完了した旨をサービス会社側コンピュータ２４に通知する（Ｓ１８）。
【００４４】
サービス会社側コンピュータ２４は、上記通知に対し、自動販売機２８の設置工事が完了した場所への基地局工事をキャリア側コンピュータ２６に対して一括依頼する（Ｓ２０）。
キャリア側コンピュータ２６の基地局工事処理部５８は、基地局工事の依頼を受付け、関連する部署等のコンピュータに対して基地局工事の発注を行う（Ｓ２１）。
【００４５】
また、キャリア側コンピュータ２６の開局報奨金支払い部６０は、基地局の設置依頼に対する報奨として開局報奨金をサービス会社側コンピュータ２４を電子マネーにより支払う（Ｓ２２）。例えば、１０万円相当の電子マネーがサービス会社側コンピュータ２４に対して支払われる。
サービス会社側コンピュータ２４の開局金授受部８０は、キャリア側コンピュータ２６より開局報奨金を電子マネーにより受取り、受取った電子マネーのうちの一部を開局協力金として飲料メーカ側コンピュータ２２に支払い、残りの電子マネーを開局金記憶部８２に記憶する（Ｓ２４）。例えば、開局報奨金として１０万円の電子マネーを受取り、開局協力金として８万円の電子マネーを支払った場合には、残り２万円の電子マネーが開局金記憶部８２に記憶される。
【００４６】
一方、キャリア側コンピュータ２６の基地局工事処理部５８は、基地局工事が完了した際に工事完了通知を飲料メーカ側コンピュータ２２に対して行う（Ｓ２６）。
以上のような処理により、無線ＬＡＮアクセスポイント２９が搭載された自動販売機２８の配置および開局手続をスムーズに行なうことができるようになる。
また、自動販売機２８の設置場所もスムーズに確保できるようになる。
【００４７】
また、図８に示した自動販売機２８では、無線ＬＡＮ通信に関する部分（無線ＬＡＮアクセスポイント２９およびモデム９６）と、飲料等の販売に関する部分（販売処理部９８および表示部１００）とを別系統とし、それぞれに電力を供給している。このため、電力会社は、無線ＬＡＮ通信に関する部分の電気料金についてはキャリアに請求し、飲料等の販売に関する部分の電気料金については自動販売機２８の設置場所所有者、自動販売機２８の所有者または飲料メーカに請求することが可能になる。
【００４８】
さらに、図７に示すように、サービス会社側コンピュータ２４の管理情報記憶部７２には、自動販売機ＩＤと無線ＬＡＮアクセスポイントＩＤとの対応関係が記憶されている。このため、数年毎の自動販売機の入れ替え時において、自動販売機と無線ＬＡＮアクセスポイントとの対応を取りやすいという効果がある。また、自動販売機に日々の売上げ等を計測するための手段が備わっている場合には、サービス会社側コンピュータ２４がインターネットを介して売上げ等の情報を受信する必要があるが、その際にどのＩＰアドレスにアクセスすればよいかをすぐに調べることができるという効果がある。
【００４９】
以上、本発明に係る設置位置決定支援方法について実施の形態に基づいて説明したが、本発明はこの実施の形態に限定されるものではない。例えば、図１１に示した自動販売機２８の設置位置支援処理では、そのすべてをコンピュータを用いて行っているが、必ずしもすべての処理がコンピュータにより行われる必要はなく、その一部が人手によるものであってもよい。
【００５０】
また、開局報奨金の支払いおよび開局協力金の支払いは一括払いであっても分割払いであってもよい。
さらに、自動販売機２８の電力供給部９２は、無線ＬＡＮ通信に関する部分と飲料等の販売に関する部分とを１つの系統として電力を供給するようにしてもよい。この場合、電力会社は、無線ＬＡＮ通信に関する部分の電気料金と飲料等の販売に関する部分の電気料金とを一括して、自動販売機２８の設置場所所有者、自動販売機２８の所有者または飲料メーカに請求することになる。
【００５１】
さらにまた、無線ＬＡＮ通信に関する部分に無停電電源を備えるようにしてもよい。
また、上述の実施の形態では、無線ＬＡＮアクセスポイント２９を一定時間使用する権利を得るために、ユーザは表示部１００に表示された暗証番号をＰＤＡまたはパーソナルコンピュータ等により入力していたがこの方法に限られるものではない。例えば、Ｂｌｕｅｔｏｏｔｈによる近距離無線通信や赤外線通信により、暗証番号の入力を行なうようにしてもよい。
【産業上の利用可能性】
【００５２】
本発明は、通信中継器を搭載した設置物の設置位置決定支援方法に適用でき、特に、無線ＬＡＮアクセスポイントを搭載した自動販売機等の設置位置決定支援方法等に適用できる。
【図面の簡単な説明】
【００５３】
【図１】設置位置決定支援システムの構成を示す外観図である。
【図２】飲料メーカ側コンピュータのハードウェア構成を示す機能ブロック図である。
【図３】設置可能位置情報の一例を示す図である。
【図４】キャリア側コンピュータのハードウェア構成を示す機能ブロック図である。
【図５】重点開局エリア情報の一例を示す図である。
【図６】サービス会社側コンピュータのハードウェア構成を示す機能ブロック図である。
【図７】サービス会社側コンピュータの管理情報記憶部に記憶されている自動販売機ＩＤと無線ＬＡＮアクセスポイントＩＤとの対応関係の一例を示す図である。
【図８】自動販売機のハードウェア構成を示す機能ブロック図である。
【図９】自動販売機の外観図である。
【図１０】ユーザによる無線ＬＡＮアクセスポイントの使用態様の一例を示す外観図である。
【図１１】自動販売機の設置位置支援処理のフローチャートである。
【図１２】開局候補位置情報を模式的に表した図である。
【符号の説明】
【００５４】
２０  設置位置決定支援システム
２２  飲料メーカ側コンピュータ
２４  サービス会社側コンピュータ
２６  キャリア側コンピュータ
２８  自動販売機
２９  無線ＬＡＮアクセスポイント
３０  インターネット
３２  設置可能位置情報記憶部
３４  設置可能位置情報通知部
３６  自動販売機設置処理部
３８  開局協力金受領部
４０  開局協力金記憶部
４２、６２、８４  外部Ｉ／Ｆ部
５２  重点開局エリア情報記憶部
５４  重点開局エリア情報通知部
５６  開局位置情報作成部
５８  基地局工事処理部
６０  開局報奨金支払い部
７２  管理情報記憶部
７６  開局候補位置情報作成部
７８  開局調整部
８０  開局金授受部
８２  開局金記憶部
９２  電力供給部
９６  モデム
９８  販売処理部
１００  表示部
１０２  ジュース
１０４  ラベル
１０８  コイン投入口
１１０  紙幣投入口
１１２  ボタン部
１２２  ユーザ
１２４  ＰＤＡ
１３２  通信可能範囲
【図１】
2005165680.tif 000003
【図２】
2005165680.tif 000004
【図３】
2005165680.tif 000005
【図４】
2005165680.tif 000006
【図５】
2005165680.tif 000007
【図６】
2005165680.tif 000008
【図７】
2005165680.tif 000009
【図８】
2005165680.tif 000010
【図９】
2005165680.tif 000011
【図１０】
2005165680.tif 000012
【図１１】
2005165680.tif 000013
【図１２】
2005165680.tif 000014